(57)【要約】【課題】  良好な外観を維持するとともに、容易に位置決めしながら組み立てることができる鍵盤楽器のスタンドを提供する。【解決手段】  上下方向に延びる左右のスタンド本体２，２と、左右のスタンド本体２，２の内面の所定位置からそれぞれ突出する位置決め用の左右の突起８，８と、左右のスタンド本体２，２間に取り付けられた水平なペダル土台３と、ペダル土台３の裏面の左右両端部にそれぞれ設けられ、所定位置に孔１２を有し、ペダル土台３をスタンド本体２に取り付ける際に、孔１２が突起８に係合することによりペダル土台３をスタンド本体２に対して位置決めする左右の取付具１１，１１と、取付具１１により位置決めした状態で、ペダル土台３を取付具１１を介してスタンド本体２に固定する固定手段８と、を備えている。【選択図】  図２
2006091515.tif 000002
【特許請求の範囲】
【請求項１】
上下方向に延びる左右のスタンド本体と、
当該左右のスタンド本体の内面の所定位置からそれぞれ突出する位置決め用の左右の突起と、
前記左右のスタンド本体間に取り付けられた水平なペダル土台と、
当該ペダル土台の裏面の左右両端部にそれぞれ設けられ、所定位置に孔を有し、前記ペダル土台を前記スタンド本体に取り付ける際に、前記孔が前記突起に係合することにより前記ペダル土台を前記スタンド本体に対して位置決めする左右の取付具と、
当該取付具により位置決めした状態で、前記ペダル土台を前記取付具を介して前記スタンド本体に固定する固定手段と、
を備えていることを特徴とする鍵盤楽器のスタンド。
【請求項２】
前記突起および前記固定手段はねじで構成されており、
前記取付具の孔は、
前記ねじの頭部が挿通可能な挿通部と、当該挿通部に連続し、当該挿通部よりも幅が小さく、前記ねじの軸部が係合可能な溝部によって構成されていることを特徴する、請求項１に記載の鍵盤楽器のスタンド。
【請求項３】
前記突起および前記固定手段はねじで構成されており、
前記取付具の孔は、
奥側に向かってテーパ状に形成され、前記ねじの軸部が係合可能な切欠であることを特徴とする、請求項１に記載の鍵盤楽器のスタンド。
【請求項４】
前記切欠は、奥側の先端部から側方にさらに切り欠かれ、前記ねじの軸部に係合可能な係止部を有することを特徴とする、請求項３に記載の鍵盤楽器のスタンド。
【請求項５】
前記固定手段はねじで構成されており、
前記取付具は、前記ねじが挿通されるねじ止め用の第２の孔を有していることを特徴とする、請求項１に記載の鍵盤楽器のスタンド。
【請求項６】
前記左右のスタンド本体および前記ペダル土台が互いに直角に設けられており、
前記取付具は、
前記ペダル土台に固定される第１固定部と、前記スタンド本体に前記ねじで固定される第２固定部で構成され、前記第１および第２の固定部が互いに若干鋭角をなすように形成されており、
前記第２固定部を前記スタンド本体に固定する際の前記ねじの締め付けにより、前記第１および第２の固定部が互いに直角に押し広げられた状態で、取り付けられていることを特徴とする、請求項２ないし５のいずれかに記載の鍵盤楽器のスタンド。
【発明の詳細な説明】
【技術分野】
【０００１】
本発明は、楽器本体を支持する鍵盤楽器のスタンドに関する。
【背景技術】
【０００２】
従来のこの種の鍵盤楽器のスタンドとして、例えば特許文献１に開示されたものが知られている。図１１に示すように、このスタンド５１は、立設された左右のスタンド本体５２，５２（一方のみ図示）と、両スタンド本体５２，５２の下端部間に、左右の取付金具５３，５３（一方のみ図示）を介して取り付けられたペダル土台５４などで構成されている。取付金具５３は、例えば金属板を折り曲げ加工したものであり、スタンド本体固定部５３ａと、このスタンド本体固定部５３ａから直角に延びるペダル土台固定部５３ｂとから、Ｌ字形に形成されている。この取付金具５３は、そのスタンド本体固定部５３ａにおいて、スタンド本体５２の内側面の下端部にねじ止めされており、その状態では、ペダル土台固定部５３ｂは、スタンド本体５２から内方に水平に突出している。また、ペダル土台固定部５３ｂには、上下方向に貫通する前後のねじ孔５５，５５が形成されている。
【０００３】
一方、ペダル土台５４は、左右方向に水平に延びる上板５４ａと、その前端から下方に延びる前板５４ｂを有し、上板５４ａの左右の両端部にはそれぞれ、上下方向に貫通する前後の孔５６，５６が形成されている（一端部側のみ図示）。このペダル土台５４は、その上板５４ａの各端部を取付金具５３のペダル土台固定部５３ｂに載置し、ペダル土台５４の孔５６に通したねじ５７を取付金具５３のねじ孔５５にねじ込むことによって、スタンド本体５２に取り付けられている。
【０００４】
しかし、このスタンド５１では、ペダル土台５４の表面側からねじ５７がねじ込まれているので、ねじ５７の頭部が演奏者側から見えてしまい、外観を損なうという問題がある。
【０００５】
このような不具合を解消したスタンドとして、従来、例えば図１２に示すものが知られている。このスタンド６１では、取付金具６３は、上述した取付金具５３と同様、Ｌ字形の断面を有し、スタンド本体固定部６３ａおよびペダル土台固定部６３ｂを有している。この取付金具６３は、そのペダル土台固定部６３ｂにおいて、ペダル土台６４の裏面の左右の各端部に、ペダル土台６４の裏面側からねじ込まれたねじ６５によってねじ止めされており、スタンド本体固定部６３ａは、ペダル土台６４の裏面から下方に突出している。このため、ペダル土台６４の表面からは、ねじ６５が見えないようになっている。
【０００６】
このペダル土台６４は、スタンド本体６２に、例えば以下のような方法で取り付けられる。すなわち、図１２に示すように、スタンド６１をその背面側を下に向けた状態で床面Ｆに載置し、ペダル土台６４を手で支えながら、取付金具６３のスタンド本体固定部６３ａをスタンド本体６２の下端部に当接させ、ペダル土台６４をスタンド本体６２に対して位置決めした状態を保持したまま、ねじ６７を、スタンド本体固定部６３ａの孔６６を介して、スタンド本体６２にねじ込む。
【０００７】
しかし、このスタンド６１では、ペダル土台６４をスタンド本体６２に取り付ける際に、上述したように、ペダル土台６４を手で支えながら、スタンド本体６２の所定位置にスタンド本体固定部６３ａを当接させるとともに、その位置決めした状態を保持しながら、ねじ止めしなければならない。このため、スタンド６１の組立作業を容易に行えないという問題がある。
【０００８】
本発明は、上記の課題を解決するためになされたものであり、良好な外観を維持するとともに、容易に位置決めしながら組み立てることができる鍵盤楽器のスタンドを提供することを目的とする。
【０００９】
【特許文献１】特開平８−２９２７６８号公報
【発明の開示】
【課題を解決するための手段】
【００１０】
この目的を達成するために、請求項１に係る鍵盤楽器のスタンドは、上下方向に延びる左右のスタンド本体と、左右のスタンド本体の内面の所定位置からそれぞれ突出する位置決め用の左右の突起と、左右のスタンド本体間に取り付けられた水平なペダル土台と、ペダル土台の裏面の左右両端部にそれぞれ設けられ、所定位置に孔を有し、ペダル土台をスタンド本体に取り付ける際に、孔が突起に係合することによりペダル土台をスタンド本体に対して位置決めする左右の取付具と、取付具により位置決めした状態で、ペダル土台を取付具を介してスタンド本体に固定する固定手段と、を備えていることを特徴とする。
【００１１】
この鍵盤楽器のスタンドによれば、左右のスタンド本体の内面の所定位置には、突起がそれぞれ設けられ、ペダル土台の裏面の左右両端部には、所定位置に孔を有する取付具が設けられている。ペダル土台をスタンド本体に取り付ける際には、ペダル土台の取付具の孔をスタンド本体の突起に係合させることにより、ペダル土台がスタンド本体に対して位置決めされる。そして、そのように位置決めした状態で、固定手段によって、取付具を介して、ペダル土台をスタンド本体に固定する。このように、スタンド本体の突起に取付具の孔を係合させるだけで、スタンド本体に対してペダル土台を容易に位置決めすることができる。また、突起と取付具の孔によって位置決めされた状態で、ペダル土台をスタンド本体に固定するので、従来と異なり、両者を固定する際に、ペダル土台を手で支えながら位置決めするという作業が不要になり、ペダル土台をスタンド本体に容易に取り付けることができる。
【００１２】
また、本発明では、取付具がペダル土台の裏面に設けられているので、取付具に係合する突起、および取付具を介してペダル土台をスタンド本体に固定する固定手段を、ペダル土台の裏面側に配置することが可能になる。それにより、これらの部品が、ペダル土台で隠され、演奏者側からは見えないので、スタンドの外観を良好に維持することができる。
【００１３】
請求項２に係る発明は、請求項１に記載の鍵盤楽器のスタンドにおいて、突起および固定手段はねじで構成されており、取付具の孔は、ねじの頭部が挿通可能な挿通部と、挿通部に連続し、挿通部よりも幅が小さく、ねじの軸部が係合可能な溝部によって構成されていることを特徴する。
【００１４】
この構成によれば、ペダル土台は、例えば以下のようにして、スタンド本体に取り付けられる。まず、ねじを、その頭部がスタンド本体から浮いた状態で、スタンド本体の所定位置に取り付ける。次に、取付具の挿通部を、ねじの頭部に挿通した後に、取付具のより幅の小さな溝部をねじの軸部に係合させた状態で、取付具をスライドさせ、溝部の縁部を軸部に当接させる。これにより、ペダル土台がスタンド本体に対して位置決めされる。そして、この位置決め状態でねじを締め付けることによって、ペダル土台がスタンド本体に固定される。この場合、例えば、取り付けの際に取付具の溝部が挿通部の上方に位置するように、孔を形成することによって、挿通部をねじの頭部に挿通した後にペダル土台から手を離すだけで、自重によりペダル土台とともに取付具が下降し、溝部の縁部がねじの軸部に当接し、位置決め状態になるので、組立作業を容易に行うことが可能になる。また、上記のように、このねじは、位置決め用の突起としての機能と固定手段としての機能を兼ね備えている。したがって、その分、部品点数および組立工数を削減することができ、それにより、製造コストを削減することができる。
【００１５】
請求項３に係る発明は、請求項１に記載の鍵盤楽器のスタンドにおいて、突起および固定手段はねじで構成されており、取付具の孔は、奥側に向かってテーパ状に形成され、ねじの軸部が係合可能な切欠であることを特徴とする。
【００１６】
本発明では、取付具にねじの軸部が係合可能な切欠が形成されており、この切欠は、奥側に向かってテーパ状になっている。この構成によれば、ペダル土台は、例えば以下のようにして、スタンド本体に取り付けられる。まず、ねじを、その頭部がスタンド本体から浮いた状態で、スタンド本体の所定位置に取り付ける。次に、取付具の切欠を、ねじの軸部に係合させた後に、取付具をスライドさせ、切欠の奥側の縁部を軸部に当接させる。これにより、ペダル土台がスタンド本体に対して位置決めされる。そして、この位置決め状態でねじを締め付けることによって、ペダル土台がスタンド本体に固定される。この切欠は、取付具の奥側に向かってテーパ状に、すなわち、奥側に向かって狭まるように形成されているので、ねじの軸部への切欠の係合を容易に行えるとともに、位置決めとねじによる固定も容易に行うことができる。
【００１７】
この場合、例えば、取り付けの際に切欠の縁部が開口部の上方に位置するように、切欠を形成することによって、切欠をねじの軸部に係合させた後に、ペダル土台から手を離すだけで、自重によりペダル土台とともに取付具がねじの軸部上をスライドして下降し、切欠の縁部がねじの軸部に当接した位置決め状態になるので、組立作業を容易に行うことが可能になる。また、請求項２と同様、ねじが位置決め用の突起としての機能と固定手段としての機能を兼ね備えるので、製造コストを削減することができる。
【００１８】
請求項４に係る発明は、請求項３に記載の鍵盤楽器のスタンドにおいて、切欠は、奥側の先端部から側方にさらに切り欠かれ、ねじの軸部に係合可能な係止部を有することを特徴とする。
【００１９】
この構成によれば、ペダル土台をスタンド本体に取り付けるために、ねじの軸部に切欠の奥側の縁部を当接させることにより、取付具が位置決めされた状態では、この切欠の先端部の係止部がねじの軸部に係合する。この係止部の係合により、ねじの軸部に対する取付具の位置決め後のずれが阻止されることによって、ペダル土台をスタンド本体に対して、より精度良く安定して位置決めすることができる。
【００２０】
請求項５に係る発明は、請求項１に記載の鍵盤楽器のスタンドにおいて、固定手段はねじで構成されており、取付具は、ねじが挿通されるねじ止め用の第２の孔を有していることを特徴とする。
【００２１】
この構成によれば、ペダル土台の取り付けの際には、ペダル土台の取付具の孔をスタンド本体の突起に係合させることにより、ペダル土台をスタンド本体に対して位置決めした状態で、取付具の第２の孔にねじを挿通し、締め付けることによって、ペダル土台がスタンド本体に固定される。このように、ペダル土台をスタンド本体に対して位置決めするための突起と、固定するためのねじが互いに別個に構成されているので、ねじをペダル土台の位置決めおよび固定手段に兼用した場合と比べて、位置決めの精度と安定性を高めることができる。
【００２２】
請求項６に係る発明は、請求項２ないし５のいずれかに記載の鍵盤楽器のスタンドにおいて、左右のスタンド本体およびペダル土台が互いに直角に設けられており、取付具は、ペダル土台に固定される第１固定部と、スタンド本体にねじで固定される第２固定部で構成され、第１および第２の固定部が互いに若干鋭角をなすように形成されており、第２固定部をスタンド本体に固定する際のねじの締め付けにより、第１および第２の固定部が互いに直角に押し広げられた状態で、取り付けられていることを特徴とする。
【００２３】
この構成によれば、取付具の第２固定部をスタンド本体に固定する際のねじの締め付けにより、第１および第２の固定部が互いに若干鋭角な状態から直角に押し広げられた状態で、取付具がスタンド本体とペダル土台の間に取り付けられている。この状態では、押し広げられた取付具の第２固定部の反力が、スタンド本体にねじ込まれたねじに、これを内方に押圧するように常時、作用する。これにより、ねじの緩みを防止でき、したがって、鍵盤楽器を長期間、使用した場合でも、ねじの緩みに起因する、ペダル土台とスタンド本体の間のがたつきを防止することができる。
【００２４】
また、取付具の第１および第２の固定部の間の角度がもともと若干鋭角であるため、ペダル土台をスタンド本体に固定する前の状態では、第２固定部の先端がペダル土台の端面よりも内方に位置している。したがって、ペダル土台の取り付けの際に、第２固定部の先端が、スタンド本体に接触しにくくなることによって、スタンド本体の損傷を防止することができる。
【発明を実施するための最良の形態】
【００２５】
以下、本発明の好ましい実施形態を、図面を参照しながら、詳細に説明する。図１は、本発明の第１実施形態による電子ピアノ（鍵盤楽器）のスタンドを示している。このスタンド１は、鍵盤などを含むピアノ本体（ともに図示せず）を支持するものであり、上下方向に延びる左右のスタンド本体２，２と、両スタンド本体２，２の下端部間に取り付けられた水平なペダル土台３と、両スタンド本体２，２の後端部間に取り付けられた背板４などを備えている。各スタンド本体２は、床面Ｆに載置された妻土台５と、これに立設された側板６で構成されている。各側板６の上端部には、金具７，７が取り付けられており、スタンド本体２，２に載置されたピアノ本体が、これらの金具７，７を介して固定される。
【００２６】
ペダル土台３は、左右方向に延びる上板３ａと、その前端から下方に延びる前板３ｂとから、断面Ｌ字形に形成されている。前板３ｂの下端部の中央には、３つの切欠３ｃが形成されており、各切欠３ｃにペダル（図示せず）が挿入され、取り付けられる。ペダル土台３は、左右の各端部において、取付金具１１，１１（取付具）を介して（図２に一方のみ図示）、左右のスタンド本体２，２に取り付けられている。
【００２７】
取付金具１１は、金属板、例えば鉄板を折り曲げ加工したものであり、図２および図３に示すように、ペダル土台固定部１１ａ（第１固定部）と、このペダル土台固定部１１ａの一端からほぼ直角に延びるスタンド本体固定部１１ｂ（第２固定部）とから、断面Ｌ字形に形成されている。図４に示すように、ペダル土台固定部１１ａとスタンド本体固定部１１ｂの間の角度は、直角ではなく、若干鋭角（例えば８９度）に設定されている。なお、図４は、この角度が鋭角であることを示すために、実際よりも誇張して描かれている。スタンド本体固定部１１ｂの所定位置には、前後の変形孔１２，１２（孔）が形成されており、さらに、両変形孔１２，１２間には、円形の孔１３が形成されている。各変形孔１２は、後述するねじ８の頭部が挿通可能な円形状の挿通部１２ａと、この挿通部１２ａから前方に連続し、挿通部１２ａよりも幅が小さく、ねじ８の軸部が係合可能な溝部１２ｂで構成されている。
【００２８】
上記のペダル土台３は、例えば、以下のようにして、スタンド本体２に取り付けられる。まず、各取付金具１１のペダル土台固定部１１ａを、ペダル土台３の上板３ａの裏面の左右両端部に、ねじ１４で固定する（一方のみ図示）。この状態では、取付金具１１のスタンド本体固定部１１ｂは、その基端部がペダル土台３の上板３ａの側端面と面一であるとともに、ペダル土台固定部１１ａに対して鋭角であるため、その先端が、上板３ａの側端面よりも内方に位置している。
【００２９】
次に、図２に示すように、スタンド本体２およびペダル土台３を、それらの背面側を下にした状態で、床面Ｆ上に置く。次に、各側板６の内面の下端部の所定位置に、前後２つのねじ８，８（突起および固定手段）を、その頭部が浮いた状態で取り付ける。次いで、ペダル土台３をスタンド本体２側に移動させ、取付金具１１の各挿通部１２ａをねじ８の頭部に挿通した後、ペダル土台３から手を離す。これにより、ペダル土台３が自重で下降するのに伴い、取付金具１１がねじ８の軸部上をスライドしながら下降し、溝部１２ｂの縁部がねじ８の軸部に当接する。これにより、ペダル土台３がスタンド本体２に対して位置決めされる。そして、この状態で、各ねじ８を締め付けることによって、ペダル土台３を、取付金具１１を介して、スタンド本体２に固定する。さらに、ねじ１５を、スタンド本体固定部１１ｂの孔１３を介して、スタンド本体２にねじ込み、締め付ける。以上により、ペダル土台３が、取付金具１１を介してスタンド本体２に固定され、スタンド１の組立作業が終了する。前述したように、取付金具１１のペダル土台固定部１１ａとスタンド本体固定部１１ｂの間の角度が若干鋭角に設定されているので、上記ねじ８の締め付けによって、両固定部１１ａ，１１ｂが互いに鋭角な状態から直角に押し広げられる。その結果、押し広げられたスタンド本体固定部１１ｂの反力が、ねじ８およびねじ１５に、これらを内方に押圧するように、常時、作用する。
【００３０】
以上のように、第１実施形態によるスタンド１によれば、取付金具１１がペダル土台３の裏側に設けられるとともに、ねじ８がペダル土台３の裏面側に配置されているので、取付金具１１、ねじ８およびねじ１４が、ペダル土台３で隠され、演奏者側からは見えず、したがって、スタンド１の外観を良好に維持することができる。また、ペダル土台３を取り付ける際、取付金具１１の挿通部１２ａをねじ８の頭部に通した後にペダル土台３から手を離すだけで、溝部１２ｂの縁部がねじ８の軸部に当接し、位置決め状態になる。また、そのように位置決めされた状態において、ペダル土台３をスタンド本体２に固定するので、従来と異なり、両者を固定する際に、ペダル土台３を手で支えながら位置決めするという作業が不要になり、ペダル土台３をスタンド本体２に容易に取り付けることができ、組立作業を容易化することができる。また、ねじ８は、ペダル土台３の位置決め用の突起としての機能と、ペダル土台３の固定手段としての機能を兼ね備えている。したがって、その分、部品点数および組立工数を削減することができ、それにより、製造コストを削減することができる。
【００３１】
また、ペダル土台３を固定する際のねじ８の締め付けによって、取付金具１１のペダル土台固定部１１ａおよびスタンド本体固定部１１ｂが互いに若干鋭角な状態から直角に押し広げられており、押し広げられたスタンド本体固定部１１ｂの反力が、ねじ８およびねじ１５に、これを内方に押圧するように常時、作用するので、ねじ８およびねじ１５の緩みを防止することができる。したがって、電子ピアノを長期間、使用した場合でも、ねじ８およびねじ１５の緩みに起因する、ペダル土台３とスタンド本体２の間のがたつきを防止することができる。さらに、ねじ１５の軸部が円形の孔１３にぴったり係合しているので、スタンド本体２と取付金具１１ひいてはペダル土台３とが、ねじ８の軸部が係合する変形孔１２の溝部１２ｂに沿って相対的に移動するのを確実に阻止でき、それにより、スタンド本体２とペダル土台３の間のがたつきを防止することができる。また、ペダル土台３に取付金具１１を取り付けた状態において、取付金具１１のスタンド本体固定部１１ｂの先端が、ペダル土台３の上板３ａの側端面よりも、内方に位置しているので、ペダル土台３をスタンド本体２に取り付ける際に、スタンド本体固定部１１ｂの先端がスタンド本体２に接触しにくくなることによって、スタンド本体２の損傷を防止することができる。
【００３２】
図５は、本発明の第２実施形態による電子ピアノのスタンドを示している。このスタンド２０は、第１実施形態と比較して、取付金具の構成のみが異なっている。なお、以下の実施形態では、相違点を中心として説明し、同じ構成部品については、同じ符号を用い、その詳細な説明は省略するものとする。図５および図６に示すように、取付金具２１のスタンド本体固定部２１ｂには、前後の切欠２２，２２が形成されている。図５に示すように、各切欠２２は、上方前側に斜めに延びるとともに、奥側に向かって狭くなるテーパ状に形成されている。
【００３３】
ペダル土台３は、例えば、以下のようにして、スタンド本体２に取り付けられる。まず、第１実施形態と同様にして、ペダル土台３に取付金具２１，２１を、各スタンド本体２にねじ８，８を、それぞれ取り付ける。次に、取付金具２１の各切欠２２を、ねじ８の軸部に係合させた後、ペダル土台３から手を離す。これにより、ペダル土台３が自重で下降するのに伴い、取付金具２１がねじ８の軸部上をスライドしながら下降し、ねじ８の軸部に切欠２２の縁部が当接する。これにより、ペダル土台３がスタンド本体２に対して位置決めされる。以下、第１実施形態と同様、ねじ８およびねじ１５の締め付けにより、ペダル土台３を、取付金具２１を介して、スタンド本体２に固定する。
【００３４】
以上から明らかなように、第２実施形態においても、前述した第１実施形態の効果を同様に得ることができる。また、スタンド本体固定部２１ｂの切欠２２が上方前側に向かってテーパ状に形成されているので、ねじ８の軸部との切欠２２の係合を容易に行えるとともに、ペダル土台３の位置決めを容易に行うことができる。したがって、スタンドの組立作業をより容易に行うことができる。
【００３５】
図７は、本発明の第３実施形態による電子ピアノのスタンドを示している。このスタンド３０は、第２実施形態と比較して、取付金具のスタンド本体固定部に形成された切欠の形状のみが異なっている。図７および図８に示すように、取付金具３１のスタンド本体固定部３１ｂには、前後の切欠３２，３２が形成されている。各切欠３２は、奥側に向かってテーパ状に形成されるとともに、奥側の先端部に係止部３２ａを有している。具体的には、切欠３２の前側の縁部がほぼ鉛直に延び、後側の縁部が上方前側に若干斜めに延びており、前側の縁部の奥側の先端部から前方にさらに切り欠かれた部分が、係止部３２ａになっている。この係止部３２ａは、ねじ８の軸部の径にほぼ等しい径を有する半円状に形成されており、したがって、ねじ８の軸部に係合可能である。
【００３６】
この構成によれば、ペダル土台３をスタンド本体２に取り付ける際には、第２実施形態と同様、ねじ８の軸部に切欠３２の縁部が当接することにより、取付金具３１が位置決めされる。この状態では、係止部３２ａがねじ８の軸部にぴったり係合することにより、ねじ８の軸部に対する取付金具３１の位置決め後のずれが阻止されるので、ペダル土台３をスタンド本体２に対して、より精度良く位置決めすることができる。
【００３７】
図９は、本発明の第４実施形態による電子ピアノのスタンドを示している。このスタンド４０では、各側板６の内面の下端部の所定位置に、前後２つの位置決め用の突起４２，４２が設けられている。各突起４２の基端部は一定の径を有し、先端部はテーパ状に形成されている。図９および図１０に示すように、取付金具４１のスタンド本体固定部４１ｂには、突起４２，４２に対応する位置に嵌合孔４４，４４（孔）が形成され、それらの外側には、ねじ止め用の孔４５，４５（第２の孔）が形成されている。これらの嵌合孔４４および孔４５はいずれも、丸孔で構成されている。
【００３８】
ペダル土台３は、上記の取付金具４１をペダル土台固定部４１ａを介して取り付けた後、例えば、以下のようにして、スタンド本体２に取り付けられる。まず、取付金具４１の各嵌合孔４４をスタンド本体２の突起４２に係合させることにより、ペダル土台３をスタンド本体２に対して位置決めする。次に、この位置決め状態で、ねじ４６（固定手段）を、取付金具４１の孔４５に通し、スタンド本体２の側板６にねじ込み、締め付ける。以上により、ペダル土台３がスタンド本体２に固定される。
【００３９】
以上のように、この第４実施形態によれば、ペダル土台３の位置決め用の突起４２と固定用のねじ４６が互いに別個に構成されているため、ねじ８をペダル土台３の位置決めおよび固定手段に兼用する第１〜第３実施形態と比べて、位置決めの精度と安定性を高めることができる。また、突起４２の先端部がテーパ状に形成されているので、突起４２への嵌合孔４４の係合を容易に行うことができる。
【００４０】
なお、本発明は、説明した実施形態に限定されることなく、種々の態様で実施することができる。例えば、本実施形態では、固定手段としてねじを用いているが、ペダル土台３を取付具を介してスタンド本体２に固定できるものであればよく、例えば接着剤を用いてもよい。また、ねじ８、ねじ４６および突起４２を、側板６に設けているが、スタンド本体２の妻土台５に設けてもよい。その他、本発明の趣旨の範囲内で、細部の構成を適宜、変更することが可能である。
【図面の簡単な説明】
【００４１】
【図１】本発明の電子ピアノのスタンドを示す斜視図である。
【図２】本発明の第１実施形態によるスタンドを示す部分斜視図である。
【図３】図２の取付金具の平面図である。
【図４】図３の取付金具の正面図である。
【図５】第２実施形態によるスタンドを示す部分斜視図である。
【図６】図５の取付金具の平面図である。
【図７】第３実施形態によるスタンドを示す部分斜視図である。
【図８】図７の取付金具の平面図である。
【図９】第４実施形態によるスタンドを示す部分斜視図である。
【図１０】図９の取付金具の平面図である。
【図１１】従来の鍵盤楽器のスタンドを示す部分斜視図である。
【図１２】図１１のスタンドと異なる従来の他のスタンドを示す部分斜視図である。
【符号の説明】
【００４２】
１    スタンド
２    スタンド本体
３    ペダル土台
８    ねじ（突起および固定手段）
１１    取付金具（取付具）
１１ａ  ペダル土台固定部（第１固定部）
１１ｂ  スタンド本体固定部（第２固定部）
１２    変形孔（孔）
１２ａ  挿通部
１２ｂ  溝部
２０    スタンド
２１    取付金具（取付具）
２１ａ  ペダル土台固定部（第１固定部）
２１ｂ  スタンド本体固定部（第２固定部）
２２    切欠
３０    スタンド
３１    取付金具（取付具）
３１ａ  ペダル土台固定部（第１固定部）
３１ｂ  スタンド本体固定部（第２固定部）
３２    切欠
３２ａ  係止部
４０    スタンド
４１    取付金具（取付具）
４１ａ  ペダル土台固定部（第１固定部）
４１ｂ  スタンド本体固定部（第２固定部）
４２    突起
４４    嵌合孔（孔）
４５    孔（第２の孔）
４６    ねじ（固定手段）
【図１】
2006091515.tif 000003
【図２】
2006091515.tif 000004
【図３】
2006091515.tif 000005
【図４】
2006091515.tif 000006
【図５】
2006091515.tif 000007
【図６】
2006091515.tif 000008
【図７】
2006091515.tif 000009
【図８】
2006091515.tif 000010
【図９】
2006091515.tif 000011
【図１０】
2006091515.tif 000012
【図１１】
2006091515.tif 000013
【図１２】
2006091515.tif 000014